(57)【特許請求の範囲】
【請求項１】
アッパーおよびソールシステムを備える履物物品であって、
前記アッパーは、第１編組み構造、第２編組み構造およびオーバーレイシステムを備え、
前記オーバーレイシステムは、前記第１編組み構造に接合されると共に、前記第２編組み構造にも接合されており、
前記オーバーレイシステムは、前記第１編組み構造よりも伸縮せず、かつ、前記第２編組み構造よりも伸縮せず、
前記オーバーレイシステムは、第１層および第２層を備え、
前記第１層は、前記第１編組み構造に接合され、
前記第１層は、前記第２層に接合され、
前記第２層は、前記第２編組み構造に接合され、
前記第１層の一部は前記第２層の一部に接合されて、前記第１編組み構造を前記第２編組み構造に対して相対位置に保持する、履物物品。
【請求項２】
請求項１に記載の履物物品であって、前記第２編組み構造は、前記第１編組み構造の外側表面に重なっている、履物物品。
【請求項３】
請求項２に記載の履物物品であって、前記第２編組み構造は、その大部分が、前記第１編組み構造に重なって直接接触している、履物物品。
【請求項４】
請求項１に記載の履物物品であって、前記第１層及び前記第２層の両方は、前記アッパーの締め付け領域に関連付けられたオーバーレイ部分を含む、履物物品。
【請求項５】
請求項１に記載の履物物品であって、中間層は、前記第１編組み構造および前記第２編組み構造を分離している、履物物品。
【請求項６】
請求項５に記載の履物物品であって、
前記中間層は、発泡体であり、
前記中間層の端縁は、前記オーバーレイシステムに接合されている、履物物品。
【請求項７】
アッパーおよびソールシステムを備える履物物品であって、
前記アッパーは、第１編組み構造、第２編組み構造、部材およびオーバーレイシステムを備え、
前記オーバーレイシステムは、前記第１編組み構造に接合されると共に、前記第２編組み構造にも接合されており、
前記部材は、前記第１編組み構造および前記第２編組み構造の間に配置され、
前記オーバーレイシステムは、第１層および第２層を備え、
前記第１層は、前記第１編組み構造に接合され、
前記第１層は、前記第２層に接合され、
前記第２層は、前記第２編組み構造に接合され、
前記第１層の一部は前記第２層の一部に接合されて、前記第１編組み構造を前記第２編組み構造に対して相対位置に保持する、履物物品。
【請求項８】
請求項７に記載の履物物品であって、
前記部材は、前記第１編組み構造に直接接触し、かつ、
前記部材は、前記第２編組み構造に直接接触している、履物物品。
【請求項９】
請求項８に記載の履物物品であって、前記オーバーレイシステムは、前記部材をほぼ包囲している、履物物品。
【請求項１０】
請求項７に記載の履物物品であって、前記部材は、前記オーバーレイシステムから離間している、履物物品。
【請求項１１】
請求項７に記載の履物物品であって、前記部材は、前記オーバーレイシステムに取り付けられている、履物物品。
【請求項１２】
請求項７に記載の履物物品であって、
前記部材は足首パッドであり、前記足首パッドは、前記履物物品の足首部分に配置され、
前記アッパーは、更に、ヒールパッドを含み、前記ヒールパッドは、前記履物物品のヒール部分に配置されている、履物物品。
【請求項１３】
請求項７に記載の履物物品であって、前記部材は発泡体から製造され、かつ、前記オーバーレイシステムは熱可塑性物質から製造されている、履物物品。
【請求項１４】
履物物品用のアッパーであって、前記アッパーは、
第１開口端縁を含む第１編組み構造と、
前記第１開口端縁にほぼ整列している第２開口端縁を含む第２編組み構造と、
第１層および第２層を含むオーバーレイシステムと、
を備え、
前記第１層は、前記第１開口端縁に接合され、
前記第２層は、前記第２開口端縁に接合され、
前記第１層の一部は前記第２層の一部に接合されて、前記第１編組み構造を前記第２編組み構造に対して相対位置に保持する、アッパー。
【請求項１５】
請求項１４に記載のアッパーであって、前記第１層は、前記第２層に接合されている、アッパー。
【請求項１６】
請求項１４に記載のアッパーであって、更に、中間層を備え、前記中間層は、前記第１編組み構造および前記第２編組み構造の間に配置されている、アッパー。
【請求項１７】
請求項１６に記載のアッパーであって、
前記第２層は、第１部分および第２部分を含み、
前記第２部分は、前記第２開口端縁に沿って延材し、
前記中間層は、部材を含み、前記部材は、前記第１部分および前記第２部分の間に配置されている、アッパー。
【請求項１８】
請求項１７に記載のアッパーであって、
前記部材は、前記第２部分から離間し、
前記部材は、前記第１部分から離間している、アッパー。
【請求項１９】
請求項１７に記載のアッパーであって、
前記部材は、前記第２部分に取り付けられ、かつ、
前記部材は、前記第１部分に取り付けられている、アッパー。
【請求項２０】
請求項１７に記載のアッパーであって、
前記第１層は、第４部分および第５部分を含み、
前記第５部分は、前記第１開口端縁に沿って延材し、
前記部材は、前記第４部分および前記第５部分の間に配置されている、アッパー。
【発明の詳細な説明】
【関連出願の相互参照】
【０００１】
本願は、２０１４年１月２４日付の米国特許出願第１４／１６３４３８号（オーバーレイを有する履物物品用の編組みアッパー）（米国代理人整理番号５１−３４２７）の一部継続出願である。この米国特許出願第１４／１６３４３８号は、その全体が参照によって本明細書に組み込まれ、本明細書では「編組みアッパー出願」と称する。さらに、米国特許出願１４／１６３４３８号は、２０１３年６月２５日付の米国特許仮出願第６１／８３９０９７号（編組みアッパーを有する履物物品）（米国代理人整理番号５１−３２１０）の優先権を主張する。米国特許仮出願第６１／８３９０９７号は、その全体が参照によって本明細書に組み込まれ、本明細書では「編組みアッパー仮出願」と称する。
また、本願は、２０１４年９月２４日付の米国特許出願第１４／４９５２５２号（編組みアッパーを有する履物物品）（米国代理人整理番号５１−４５３８）にも関連している。この米国特許出願第１４／４９５２５２号は、その全体が参照によって本明細書に組み込まれる。この米国特許出願第１４／４９５２５２号は、２０１４年１月２４日付の米国特許第１４／１６３３９２号（編組みアッパーを有する履物物品）（米国代理人整理番号５１−３６４２）の優先権を主張しており、また、その全体が参照によって本明細書に組み込まれる。この米国特許出願第１４／１６３３９２号は、２０１３年６月２５日付の米国特許仮出願第６１／８３９０９７号（編組みアッパーを有する履物物品）（米国代理人整理番号５１−３２１０）の優先権を主張する。
【技術分野】
【０００２】
本発明は、履物物品に関し、特に履物物品用のアッパーに関する。
【背景技術】
【０００３】
運動靴は、多くの場合、２つの主要な構成要素、即ち、足を受容するためのエンクロージャを形成するアッパーと、アッパーに固定されるソールとを有する。アッパーは、紐、面ファスナまたは靴を足に適切に固定するためのその他の装置を使用して調整可能にしてもよい。ソールは、競技面に一次的に接触している。ソールは、靴が地面または他の面に接触する際に、その衝撃を吸収するように設計することができる。アッパーは、適切な種類の保護を足にもたらすように、かつ着用者の快適性を最大限にするように設計することができる。
【発明の概要】
【０００４】
一態様において、履物物品は、アッパーおよびソールシステムを含む。アッパーは、第１編組み構造、第２編組み構造およびオーバーレイシステムを含む。オーバーレイシステムは、第１編組み構造に接合されると共に、第２編組み構造にも接合される。オーバーレイシステムは、第１編組み構造よりも耐伸縮性が大きく、かつ、第２編組み構造よりも耐伸縮性が大きい。
【０００５】
別の態様において、履物物品は、アッパーおよびソールシステムを備える。アッパーは、第１編組み構造、第２編組み構造、部材、およびオーバーレイシステムを備える。オーバーレイシステムは、第１編組み構造に接合され、かつ、オーバーレイシステムは、第２編組み構造に接合される。部材は、第１編組み構造および第２編組み構造の間に配置する。
【０００６】
別の態様において、履物物品用のアッパーは、第１開口端縁を含む第１編組み構造を含む。アッパーは、更に、第２開口端縁を含む第２編組み構造を含み、第２開口端縁は、第１開口端縁にほぼ整列している。更に、アッパーは、第１層および第２層を含むオーバーレイシステムを含む。第１層は、第１開口端縁に接合される。第２層は、第２開口端縁に接合される。
【０００７】
添付図面および以下の詳細な説明を検討することで、当業者においては、実施形態におけるその他のシステム、方法、特徴および利点は明白である。そのような付加的なシステム、方法、特徴および利点は、本明細書および要約書内に含まれるものであると共に、本発明の技術的範囲内であり、かつ添付の特許請求の範囲によって保護されるものである。
【図面の簡単な説明】
【０００８】
本発明は、添付図面および以下の説明を参照することにより、より良く理解することができる。図面内の構成要素は、必ずしも等縮尺ではなく、本発明の原理を例示するために誇張されている。更に、添付図面では、各図に亘り、対応する部品には同様の参照番号が付されている。
【０００９】
【図１】オーバーレイを有する編組みされたアッパーを含む履物物品の一実施形態の概略等角図である。
【図２】図１の履物物品の分解等角図である。
【図３】オーバーレイに対して配置されるストランド（糸）の拡大図を含む、図１の履物物品の概略等角図である。
【図４】オーバーレイに接合されるストランドの一配置における別の実施形態の概略等角図である。
【図５】オーバーレイのアイレットの拡大断面図を含む、図１の履物物品の概略等角図である。
【図６】各アイレットが、編組みされたアッパーのストランドによって部分的に包囲される場合の、アイレットを含むオーバーレイの一実施形態の概略拡大図である。
【図７】編組みされたアッパーのストランドが各アイレットを包囲しない場合の、アイレットを含むオーバーレイの別の実施形態の概略拡大図である。
【図８】オーバーレイを有する編組みされたアッパーを含む履物物品の一実施形態の後方から見た概略等角図である。
【図９】複数の別個のオーバーレイを有する編組みされたアッパーを含む履物物品の一実施形態の概略分解等角図である。
【図１０】図９の履物物品の概略側面図である。
【図１１】図９の履物物品の概略頂面図である。
【図１２】２つの異なる編組みされた領域と、編組みされた領域を被覆するオーバーレイとを有する履物物品の一実施形態の概略等角図である。
【図１３】編組みされたアッパーの一部およびオーバーレイの断面図を含む、図１２の履物物品の概略等角図である。
【図１４】履物物品用のアッパーとして成形されたプレカット編組み構造の一実施形態の概略側面図である。
【図１５】例示的なプロセスに従って、アッパーに開口部を形成するために、図１４の編組み構造を切断するステップの概略図である。
【図１６】例示的なプロセスに従って、オーバーレイを図１５のアッパーに結合するステップの等角図である。
【図１７】図１４〜図１６の例示的なプロセスを使用して構築した、完成した履物物品の一実施形態の等角図である。
【図１８】ソール部材に関連付けられるオーバーレイを下面に有する編組みされたアッパーの一実施形態の等角図である。
【図１９】ソール部材に結合される、図１８の編組みされたアッパーの等角図である。
【図２０】第１編組み構造、第２編組み構造およびオーバーレイを有する履物物品の一実施例の等角図である。
【図２１】図２０の履物物品の分解図である。
【図２２】オーバーレイに対して配置されるストランドの拡大図を含む、図２０の履物物品の概略図である。
【図２３】一実施例に従って、オーバーレイに接合されるストランドの一配置の概略図である。
【図２４】第１編組み構造および第２編組み構造の分離例の拡大図を含む、図２０の履物物品の概略図である。
【図２５】第１編組み構造、第２編組み構造、中間層およびオーバーレイを有する履物物品の一実施例の等角図である。
【図２６】図２５の履物物品の分解図である。
【図２７】図２５の履物物品の内側側面の概略図である。
【図２８】図２７の履物物品の断面図である。
【図２９】第１編組み構造、第２編組み構造、中間層およびオーバーレイを有する履物物品の一実施例の等角図である。
【図３０】図２９の履物物品の断面図である。
【図３１】衝撃を受ける前の、第１編組み構造、第２編組み構造および中間層を有する履物物品の一実施例の等角図である。
【図３２】衝撃を受けている間の、第１編組み構造、第２編組み構造および中間層を有する履物物品の一実施例の等角図である。
【図３３】衝撃を受ける前の、剛性のアッパーおよび中間層を有する履物物品の一実施例の等角図である。
【図３４】衝撃を受けている間の、剛性のアッパーおよび中間層を有する履物物品の一実施例の等角図である。
【発明を実施するための形態】
【００１０】
図１は、単に「物品１００」とも称される履物物品１００の一実施形態の等角図である。物品１００は、限定されないが、ハイキングブーツ、サッカーシューズ、フットボールシューズ、スニーカー、ランニングシューズ、クロストレーニングシューズ、ラグビーシューズ、バスケットボールシューズ、ベースボールシューズおよび他の種類の靴を含む多様な種類の履物に使用するために構成してもよい。更に、いくつかの実施形態において、物品１００は、限定されないが、スリッパ、サンダル、ハイヒール、ローファーおよび任意の他の種類の履物、衣料品および／またはスポーツ用品（例えば、グローブやヘルメット等）を含む多様な種類の非スポーツ関連の履物に使用するために構成してもよい。
【００１１】
いくつかの実施形態において、履物物品１００は、アッパー１０２およびソールシステム１１０を含むことができる。ソールシステム１１０は、アッパー１０２に固定されて、履物物品１００が着用された場合に、足と地面との間に拡がっている。異なる実施形態において、ソールシステム１１０は、異なる部品を含むことができる。例えば、ソールシステム１１０は、アウトソール、ミッドソールおよび／またはインソールを含むことができる。いくつかのケースにおいて、それらの構成要素のうちの１つ以上は、任意であってもよい。
【００１２】
ソールシステム１１０は、物品１００に１つ以上の機能を与えてもよい。例えば、いくつかの実施形態において、ソールシステム１１０は、物品１００にトラクションを与えるように構成することができる。トラクションを与えることに加えて、ソールシステム１１０は、ウォーキング、ランニングまたは他の歩行活動中に、足と地面との間で圧縮された場合に、地面の反力を弱めてもよい。異なる実施形態において、ソールシステム１１０の構成は、多様な従来の、または従来にない構造を含むように、大幅に変えてもよい。いくつかのケースにおいて、ソールシステム１１０の構成は、ソールシステム１１０がその上で使用される可能性がある１種類以上の地面に従って選択することができる。地面の例示として、限定されないが、天然芝、人工芝、土およびその他の表面が挙げられる。
【００１３】
一般的に、アッパー１０２は、任意の種類のアッパーで構成することができる。具体的には、アッパー１０２は、任意の設計、形状、サイズおよび／または色調を有することができる。例えば、物品１００がバスケットボールシューズである実施形態において、アッパー１０２は、足首に対して高い支持を与えるように成形されたハイトップアッパーとすることができる。物品１００がランニングシューズである実施形態において、アッパー１０２は、ロートップアッパーとすることができる。
【００１４】
図１を参照すると、参照目的のため、アッパー１０２等の物品１００の構成要素は、前足部分１０、中足部分１２およびヒール部分１４に分割することができる。前足部分１０は、全体的に、つま先、および中足骨を指骨に結合する関節に関連付けられる。中足部分１２は、全体的に、土踏まずに関連付けられる。同様に、ヒール部分１４は、全体的に、踵骨を含む足の踵に関連付けられる。更に、アッパー１０２は、横側面１６および内側側面１８を含むことができる。具体的には、横側面１６および内側側面１８は、物品１００の対向側面である。更に、横側面１６および内側側面１８の両者は、前足部分１０、中足部分１２およびヒール部分１４を通って延在していてもよい。
【００１５】
言うまでもなく、前足部分１０、中足部分１２およびヒール部分１４は、説明を目的としているだけであり、アッパー１０２の正確な領域の境界を画定することは意図されていない。同様に、横側面１６および内側側面１８は、アッパー１０２の境界を厳密に２つの半体に画定するものではなく、アッパー１０２の２つの側面を大略的に示すことが意図されている。
【００１６】
一貫性を保つために、および便宜上の理由から、方向性に関する形容詞は、図示の実施形態に対応してこの詳細な説明の全体に亘って使用される。この詳細な説明および特許請求の範囲の全体に亘って、「長手」とは、部品の長手方向を指す。例えば、アッパー１０２の長手方向は、アッパー１０２の前足部分１０からヒール部分１４まで延在することができる。また、この詳細な説明および特許請求の範囲の全体に亘って、「横の」とは、部品の幅方向を指す。例えば、アッパー１０２の横方向は、アッパー１０２の内側側面１８および横側面１６の間で延在することができる。更に、この詳細な説明および特許請求の範囲の全体に亘って、「垂直」とは、長手方向および横方向の両者に対して垂直な方向を指す。
【００１７】
更に、「近位」とは、履物物品の着用時において、足の部分に近い履物部品の部分を指す。同様に、「近位方向」とは、物品の着用時に、足の方に向かう方向を指す。「遠位」とは、履物物品の着用時に、足の部分から離れている履物部品の部分を指す。「遠位方向」とは、物品の着用時に、足から離れて向けられる方向を指す。
【００１８】
いくつかの実施形態において、アッパー１０２は、編組みされた織物または他の編組み構造等の編組み構造で構成してもよい。編組み構造は、ヤーン、フィラメントまたは他の繊維からなる３つ以上のストランドを撚り合わせて、その構造を形成することによって、形成することができる。一実施例として、アッパー１０２は、図１において見られるように、編み合わされて、全体的に足の形状に類似する形状を形成する複数のストランド１３０から形成される。
【００１９】
編組みは、型枠または靴型上に、ヤーンのストランドを編組みすることによって、３次元構造を形成するのに用いることができる。実施例における複数のストランド１３０等の編組み構造のストランドは、ナイロン、カーボン、ポリウレタン、ポリエステル、綿、アラミド（例えば、Ｋｅｖｌａｒ（登録商標））、ポリエチレンまたはプロプロピレン等の繊維から製造することができる。それらのストランドは、幅広い用途のための３次元構造を形成するように編組みすることができる。
【００２０】
編組み構造は、手動で製造するか、または、それら全体が参照によって本明細書に組み込まれる、米国特許第７２５２０２８号（特許文献１）、米国特許第８２６１６４８号（特許文献２）、米国特許第５３６１６７４号（特許文献３）、米国特許第５３９８５８６号（特許文献４）および米国特許第４２７５６３８号（特許文献５）に記載の機械等の自動編組み機を利用して製造することができる。このような３次元編組み構造は、例えば、ＴＥＦ  Ｂｒａｉｄｓ社（ニューヨーク州ウォレンズバーグ）またはＡ＆Ｐ  Ｔｅｃｈｎｏｌｏｇｙ社（オハイオ州シンシナティ）による特定の設計に関して製造してもよい。
【００２１】
編組みを用いることにより、履物物品用アッパーを、特定の運動競技または娯楽活動に合わせた固有の機能を持たせて設計することができる。編組みされたアッパーは、着用者の足にぴったりかつ心地よく合うと同時に、非常に軽量化することができる。いくつかの実施形態では、アッパーのフィット性は、着用者が好む可能性のある、ある程度の引張または締め付けをもたらすように調節してもよい。編組みされたアッパーは、着用者の足を覆うクロースコンテインメントによって特徴付けられる。いくつかの実施形態において、編組みされた織物は、図面に示されているように、履物の周囲を端から端まで包み込んでもよい。編組みされたストランドが着用者の足の周りに張力をかける一方で、着用者の足は圧縮されるため、そのような構造は、緊張性インテグリティまたは「テンセグリティ」を有する。
【００２２】
いくつかの実施形態は、足の下に延在する編組みされたアッパーを含み、それによって、足のいくつかの領域において、３６０度に亘る被覆を形成してもよい。しかしながら、他の実施形態は、足の下に延在するアッパーを含む必要はない。別の実施形態において、例えば、編組みされたアッパーは、ソール構造および／または中敷きと結合された下方周辺部を有することができる。
【００２３】
図２は、編組み構造で構成されているアッパー１０２を含む、物品１００の一実施形態の分解等角図を示す。図１、図２を参照すると、アッパー１０２は、足を受容することができる開口部１２０を有することが分かる。更に、アッパー１０２は、締め付け領域１２４を有する。締め付け領域１２４は、更に、横締め付け端縁１２６と、内側締め付け端縁１２７とを分離する締め付けギャップ１２５を含んでもよい（図２参照）。
【００２４】
締め付け領域１２４は、更に、締め付け部材１６０に関連していてもよい。実施例において、締め付け部材１６０は、紐であってもよい。しかしながら、別の実施形態では、締め付け部材１６０は、限定するものではないが、ストラップ、スナップ、ボタン、ジッパー、面ファスナ（例えば、Ｖｅｌｃｒｏ（登録商標））および他の種類のファスナを含む任意の他の種類のファスナとすることができる。
【００２５】
編組みされたアッパーを利用する実施形態は、追加的な構造をアッパーに与えるのに役に立つ装備を含むことができる。いくつかの実施形態において、例えば、物品は、アッパーの多様な特性を高めるために、編組みされたアッパーの特定の部分に接合されるか、または取り付けられる１つ以上の追加的な材料部分を含んでもよい。例えば、それらの材料部分は、強度および耐久性を向上させるために、アッパーのいくつかの位置に耐伸縮性を与えるために、および他の構成要素の編組み構造との接合を容易にするために、用いてもよい。
【００２６】
詳細な説明全体を通して、および特許請求の範囲において、「オーバーレイ部分」または「オーバーレイ」とは、編組みされたアッパー等の編組み構造の表面に取り付けられる材料の任意の部分を指す。いくつかの実施形態において、オーバーレイ部分は、編組み構造のストランドとは異なる材料で構成される。更に、いくつかの実施形態では、オーバーレイ部分は、編組み構造のストランドとは実質的に異なる材料特性を有していてもよい。実施例において、オーバーレイ部分は、編組み構造の対応する部分と比較して伸縮に耐えることができる。
【００２７】
一般的に、オーバーレイ部分は、任意の材料で形成することができる。材料例として、限定するものではないが、（織布および不織布を含む）布地、（天然および合成レザーを含む）レザー、高分子材料、および他の種類の材料が挙げられる。一実施形態において、１つ以上のオーバーレイ部分は、熱可塑性ポリウレタン（ＴＰＵ）で形成してもよい。
【００２８】
一実施例において、物品１００は、オーバーレイ部品１４０と関連していてもよい。オーバーレイ部品１４０は、更に、第１オーバーレイ部分１５０、第２オーバーレイ部分１５２、および第３オーバーレイ部分１５４を含むいくつかの異なるオーバーレイ部分で構成してもよい。各オーバーレイ部分は、アッパー上の特定の位置に設けてもよい。例えば、第１オーバーレイ部分１５０は、アッパー１０２の締め付け領域１２４と結合してもよい。同様に、第２オーバーレイ部分１５２は、開口部１２０に結合してもよい。最後に、第３オーバーレイ部分１５４は、ヒール部分１４と、アッパー１０２の横側面１６および内側側面１８の両方の一部とに結合してもよい。
【００２９】
次に、図２を参照すると、いくつかの実施形態では、第１オーバーレイ部分１５０は、締め付け領域１２４の端縁に沿って延在している。具体的には、第１オーバーレイ部分１５０は、締め付け領域１２４の横締め付け端縁１２６に関連する第１区画１８１を含む。また、第１オーバーレイ部分１５０は、締め付け領域１２４の内側締め付け端縁１２７に関連する第２区画１８２を含む。いくつかの実施形態では、中間区画１８３が、締め付け領域１２４の最前方端縁１２９に沿って延びており、かつ第１オーバーレイ部分１５０の第１区画１８１および第２区画１８２に結合されている。
【００３０】
この場合、第１オーバーレイ部分１５０は、アッパー１０２用の横および内側アイステイを形成してもよく、またはアッパー１０２用の横および内側アイステイの部分を形成してもよい。具体的には、第１オーバーレイ部分１５０は、アッパー１０２と締め付け部材１６０との取り付けを容易にすることができる。以下で更に詳細に説明するように、締め付け領域１２４の端縁に沿ったオーバーレイ部分の使用は、締め付け部材１６０によってアッパー１０２に印加される張力をより均一に分散させるのに役に立つ可能性がある。
【００３１】
少なくともいくつかの実施形態では、第１オーバーレイ部分１５０は、締め付け領域１２４の横締め付け端縁１２６、内側締め付け端縁１２７および最前方端縁１２９に沿ったアッパー１０２の編組み構造を完成させるのに役に立つことができる。具体的には、編組み構造のストランドを、横締め付け端縁１２６、内側締め付け端縁１２７または最前方端縁１２９のうちのいずれかにおいて開いてもよい実施形態において、第１オーバーレイ部分１５０は、それらの端縁に沿ってストランドが解けることを防ぐために、ストランドの端部を定位置で接合し、融着し、または保持するのに役に立ち得る。
【００３２】
いくつかの実施形態において、第２オーバーレイ部分１５２は、開口部１２０の端縁に沿って延在する。具体的には、第２オーバーレイ部分１５２は、開口端縁１９５に関連している。更に、いくつかの実施形態では、第２オーバーレイ部分１５２は、開口部１２０および／または締め付け領域１２４における開口部に関連するアッパー１０２の全ての端縁が、第１オーバーレイ部分１５０または第２オーバーレイ部分１５２によって被覆されるように、実質的に第１オーバーレイ部分１５０と連続している。
【００３３】
この構成は、いずれかの開口ストランドを第２オーバーレイ部分１５２に接合することによって開口端縁１９５を完成させるのに役に立つ。更に、第２オーバーレイ部分１５２は、開口部１２０の近傍の編組み構造が過度に伸びることのないように、開口部１２０を補強するのに役に立つことができる。開口部１２０は、ユーザが彼または彼女の足を挿入する際および／または引き抜く際に、大きな引張応力および他の応力を受ける可能性があるため、このような補強は、特に開口部１２０において有効であり得る。
【００３４】
いくつかの実施形態では、第３オーバーレイ部分１５４は、横側面１６に沿って延在する第１区画１７１と、アッパー１０２の内側側面１８に沿って延在する第２区画１７２とを含んでもよい。更に、第３オーバーレイ部分１５４の第３区画１７３は、ヒール部分１４において、アッパー１０２の下（例えば、下面）に延在していてもよい。いくつかの実施形態では、第３区画１７３は、第３オーバーレイ部分１５４が、アッパー１０２の側面および底部の周りを連続的に包み込むように、第１区画１７１および第２区画１７２を結合している。
【００３５】
いくつかの実施形態において、第３オーバーレイ部分１５４の第１区画１７１は、第１オーバーレイ部分１５０の第１区画１８１から延在しており、かつ第１オーバーレイ部分１５０の第１区画１８１とともに連続的に形成される。更に、いくつかの実施形態では、第３オーバーレイ部分１５４の第２区画１７２は、第１オーバーレイ部分１５０の第２区画１８２から延在しており、かつ第１オーバーレイ部分１５０の第２区画１８２とともに連続的に形成される。第３オーバーレイ部分１５４は、その長さに沿った伸びを小さくするように作用することができるため、この構成は、（足の上部における）第１オーバーレイ部分１５０と、ヒール部分１４の下側１９９（図８参照）との間のアッパーの伸びに耐えることにより、踵の下での支持性を向上させるのに役に立ち得る。
【００３６】
図３は、物品１００の一部の拡大図を示し、この場合、いくつかのストランドは、第２オーバーレイ部分１５２に接合されていてもよい。図３を参照すると、いくつかのストランド３０４は、第２オーバーレイ部分１５２の内側表面３０２に対して配置してもよい。この実施例において、ストランド３０４は、何らかのストランドの遊端または自由端を欠くアッパー１０２の閉じて織られた端縁３０５の部分を形成してもよい。この場合、ストランド３０４は、編組み構造の連続的に織られた区画を補強するために、第２オーバーレイ部分１５２に接合してもよい。
【００３７】
図４に示す代替的な実施形態において、いくつかのストランド４７０は、遊端または自由端４７２で構成してもよい。この構成において、開口端部４７２は、ストランド４７０を定位置に保持するために、かつストランド４７０が緩んだり、または解けたりするのを防ぐのに役に立つように、オーバーレイ部分４５２に固定してもよい。従って、いくつかの実施形態において、編組み構造の端縁に関連する遊端または自由端を留めておくのに、オーバーレイ部分を使用することができることが分かる。このような構成は、編組み構造の裁ち目、または、解ける可能性のある遊端または自由端を含む何らかの端縁を仕上げる手段を提供することができる。
【００３８】
本明細書に開示する構成は、開口部１２０において、編組み構造の端縁を補強するように作用することができるオーバーレイ部分を提供する。これは、アッパー１０２の構造的インテグリティを維持するために、開口部１２０におけるアッパー１０２の伸びを少なくするのに役に立つことができる。更に、第２オーバーレイ部分１５２は、端部のほころびおよび／または編組み構造の解けを防ぐために、編組み構造の任意の遊端または開口端部を固定するのに役に立つことができる。
【００３９】
以下、編組みされたアッパー等の編組み構造にオーバーレイ部分を接合するための多様なプロセスについて、更に詳述する。接合するのに使用される材料例として、任意の既知の接着剤、溶解物、樹脂または他の接合剤が挙げられる。
【００４０】
図５は、第１オーバーレイ部分１５０の一部と、締め付け部材１６０の概略的な拡大断面図とを含む物品１００の等角図である。図５を参照すると、第１オーバーレイ部分１５０は、複数のアイレット４００を含む。具体的には、拡大断面図に示すアイレット４０２を含む複数のアイレット４００は、締め付け部材１６０の一部を受容するように構成される第１オーバーレイ部分１５０における開口部である。
【００４１】
アッパー１０２のストランドが締め付け部材の一部に直接的に固定する代替的な実施形態とは対照的に、この実施例は、アッパー１０２のストランドが、第１オーバーレイ部分１５０におけるアイレットを介して、締め付け部材１６０に間接的に固定されるように構成することができる。具体的には、ストランド４１０は、第１オーバーレイ部分１５０に直接的に固定されるように図示されているが、締め付け部材１６０は、第１オーバーレイ部分１５０における複数のアイレット４００を通して固定されている。この構成は、部材１６０をより一様に締め付けることによって、アッパー１０２の編組み構造全面に伝わる力を分散させることができる。このことは、締め付け部材１６０が、例えば、特定のストランドを過度に引っ張ることを防ぎ、それによって、物品１００の足に対するより良好な快適性およびフィット性を促進することができる。
【００４２】
図６および図７は、オーバーレイ部分のアイレット近傍のストランドのための可能性のある２つの構成を示す。まず、図６を参照すると、いくつかの実施形態において、１つ以上のストランドが、アイレットの周囲に延在し、それによって、アイレットを補強するように作用してもよい。例えば、図６において、第１ストランド５１２および第２ストランド５１４はそれぞれ、第１アイレット５０２および第２アイレット５０４の周囲に巻き付いている。これは、第１アイレット５０２および第２アイレット５０４を補強するという効果と、締め付け部材１６０とアッパー１０２の編組みストランドとの間の張力のより直接的な伝達を提供できるという効果とがある。
【００４３】
図７に示す代替的な実施形態を参照すると、第１アイレット５０２および第２アイレット５０４は、アッパーのどのストランドによっても包囲されていない。具体的には、ストランド６１０が、第１アイレット５０２および第２アイレット５０４を包囲することなく、第１オーバーレイ部分１５０に接合されていることが分かる。当然のことながら、更に別の実施形態では、いくつかのアイレットがストランドによって包囲されるか、または補強されていてもよく、同時に、他のアイレットは、包囲されていないか、または、補強されていなくてもよい。
【００４４】
図８は、アッパー１０２のストランド１３０を仮想線で図示する、アッパー１０２の後方等角図である。図７を参照すると、第３オーバーレイ部分１５６が、ヒール部分１４において、アッパー１０２の下側１９９の下に巻き付いているのが分かる。いくつかのケースにおいて、この構成は、第３オーバーレイ部分１５６が、足の踵を抱えることを可能にする。従って、この構成は、ヒール部分１４を介した伸びを少なくすることにより、物品１００の着用時における足の踵のための更なる支持性をもたらすことができる。
【００４５】
いくつかの実施形態において、複数の別個のオーバーレイ部品を用いてもよい。いくつかの実施形態において、別個のオーバーレイ部品は、アッパーの所定の部分において交差するか、または重なるように構成してもよい。このようなオーバーレイ部品を重ねる構成は、潜在的にアッパー全体を含むアッパーの大部分に亘って強度および耐伸縮性を高めるための手段を提供することができる。
【００４６】
図９〜図１１は、アッパー８０２およびソール構造８０５（図１０のみに図示する）を備える履物物品８００の一実施形態を示す。まず、図９を参照すると、アッパー８０２は、複数のストランド８３０によって編組みされた編組み構造で構成されている。更に、第１オーバーレイ部品８１０、第２オーバーレイ部品８１２、第３オーバーレイ部品８１４および第４オーバーレイ部品８１６を含む複数のオーバーレイ部品がアッパー８０２に関連している。
【００４７】
実施例において、各オーバーレイ部品は、アッパー８０２の特定の部分に関連している。例えば、第１オーバーレイ部品８１０は、開口部８６０の端縁８７０と、締め付け領域８６２とに関連している。従って、いくつかのケースにおいて、第１オーバーレイ部品８１０は、端縁８７０に沿って複数のストランド８３０を仕上げるのに用いてもよい。更に、第１オーバーレイ部品８１０は、開口部８６０の近傍に耐伸縮性を付与することができる。
【００４８】
第２オーバーレイ部品８１２は、アッパー８０２の前方つま先部分８６８に関連している。いくつかの実施形態では、第２オーバーレイ部品８１２は、前方つま先部分８６８における耐伸縮性を向上させるのに役に立つことができる。更に、いくつかの実施形態では、第２オーバーレイ部品８１２は、前方つま先部分８６８のための被覆をもたらすことができる。具体的には、第２オーバーレイ部品８１２の存在は、前方つま先部分８６８を介してアッパー８０２にデブリが入ってくるのを防ぐのに役立ち得る。
【００４９】
第３オーバーレイ部品８１４は、アッパー８０２の前足部分８１１に関連していてもよい。いくつかの実施形態では、第３オーバーレイ部品８１４は、締め付け領域８６２の前方に配置してもよい。更に、図９を見ると明らかなように、第３オーバーレイ部品８１４は、アッパー８０２（およびアッパー８０２内の足）を完全に取り囲むことができる。実施例において、第３オーバーレイ部品８１４は、第１バンド８１７および第２バンド８１９で構成され、それらのバンドは、上部交差領域８１５で一体的に接合される。従って、この構成は、前足部分８１１がしっかりと地面を踏む可能性がある活動中の足の支持性を向上させる、目標とする耐伸縮性を前足部分８１１に付与することができる。
【００５０】
第４オーバーレイ部品８１６は、アッパー８０２のヒール部分８１３に関連していてもよい。いくつかの実施形態では、第４オーバーレイ部品８１６は、ヒールカウンタ状のオーバーレイ部分８２５と、ストラップ状のオーバーレイ部分８２７とを備えてもよい。オーバーレイ部分８２５とオーバーレイ部分８２７とを組み合わせると、ヒール部分８１３における伸縮性を制限するのに役に立つ可能性があり、そのため、アッパー８０２内での踵の支持性を高めることができる。
【００５１】
図１０および図１１から明らかなとおり、アッパー８０２とともに組み立てた場合、オーバーレイ部品のうちのいくつかは、互いに重なり合うことができる。例えば、第３オーバーレイ部品８１４は、重複領域９０２において、第１オーバーレイ部品８１０の一部と重なり合うことが明確に分かる。更に、第３オーバーレイ部品８１４が、重複領域９０３において、第２オーバーレイ部品８１２の一部と重なり合っているのが分かる。同様に、第４オーバーレイ部品８１６は、重複領域９０４において、第１オーバーレイ部品８１０の一部と重なり合っていることが明確に分かる。この重複配置は、１つのオーバーレイ部品の一部が、重なり合っているオーバーレイ部品の支持性を補強することができる故、アッパー８０２の構造的インテグリティを高めるのに役に立ち得る。更に、異なるオーバーレイ部品の一部を重ね合わせて一緒に接合することにより、オーバーレイ部品は、アッパー８０２の編組み構造を支持するための一体フレームとして機能してもよい。
【００５２】
異なる特性を有する編組み領域を用いる実施形態は、いくつかの領域を更に補強するが、その他の領域は補強しない装備を含んでもよい。いくつかの実施形態において、物品は、その物品の所定の領域を覆うように構成されるオーバーレイ部分を含んでもよい。
【００５３】
図１２および図１３は、アッパー１１０２の２つの特定の領域を被覆するオーバーレイ部分を備えて構成される物品１１００の等角図である。具体的には、図１２は、物品１１００の等角分解図を示し、図１３は、拡大断面図を含む等角図を示す。図１２および図１３を参照すると、物品１１００は、アッパー１１０２およびソールシステム１１１０を含む。アッパー１１０２は、更に、第１領域１１５１、第２領域１１５２、第３領域１１５３および第４領域１１５４を含む少なくとも４つの別個の領域を備えて構成される。実施例において、第１領域１１５１は、アッパー１１０２のつま先領域である。第２領域１１５２は、第１領域１１５１に隣接してその後方に直接的に配置される。第３領域１１５３は、第２領域１１５２に隣接してその後方に配置される。最後に、第４領域１１５４は、第３領域１１５３の後方に拡がる。更に、第４領域１１５４は、残りの領域よりも実質的により大きな領域であり、および中足部分１１０３の全体と、アッパー１１０２のヒール部分１１０５とを含んでいる。従って、第１領域１１５１、第２領域１１５２および第３領域１１５３は、アッパー１１０２の全域に横方向に延在するアッパー１１０２のバンドとして特徴付けてもよい。
【００５４】
アッパー１１０２の各領域は、編組み密度等の特定の材料特性と関連付けてもよい。実施例において、第１領域１１５１および第３領域１１５３はともに、第１編組み密度と関連付けられ、第２領域１１５２および第４領域１１５４は、第２編組み密度と関連付けられる。いくつかの実施形態では、第１編組み密度は、第２編組み密度よりも大きくてもよい。従って、第１領域１１５１および第３領域１１５３は、より緊密に編み込まれ、強度が向上した領域を与えることができ、およびいくつかの実施形態では、伸びに耐えることもできる。
【００５５】
物品１１００は、更に、第１オーバーレイ部分１１６０および第２オーバーレイ部分１１６２に関連してもよい。第１オーバーレイ部分１１６０は、アッパー１１０２の第１領域１１５１を被覆するように成形してもよい。第２オーバーレイ部分１１６２は、アッパー１１０２の第３領域１１５３を被覆するように成形してもよい。例えば、図１３の拡大断面図に図示するように、第２オーバーレイ部分１１６２は、第３領域１１５３のストランド１１７０の上に配置してもよい。この配置の場合、第１オーバーレイ部分１１６０および第２オーバーレイ部分１１６２は、第１領域１１５１および第２領域１１５２を更に補強することができ、それによって、それらの領域における支持性および耐伸縮性を高めることができる。
【００５６】
実施例は、アッパーに対するオーバーレイ部分のためのいくつかの可能性のある構成を例示しているのにすぎない。他のいくつかの実施形態は、多様な異なる形状、サイズおよび配置で構成されるオーバーレイ部分を含んでもよいことを理解すべきである。更に、代替的な実施形態では、任意の数量の別個のオーバーレイ部品を用いてもよい。オーバーレイ部品またはオーバーレイ部分の数量、形状、サイズおよび配置は、履物物品上の任意の位置における耐伸縮性、高い強度、支持性、快適性または他の任意の所望の特性を含む所望の特性を実現するように選択することができる。
【００５７】
編組みされたアッパー出願において説明したように、編組みされたアッパーは、多様な異なる特徴および機能を備えて構成することができる。この詳細な説明に記載されるオーバーレイ部分は、編組みされたアッパー出願で説明した特徴のうちのいくつかを含んでも含まなくてもよい、編組みされたアッパーの多様な異なる実施形態とともに利用してもよいことを理解すべきである。一実施例として、いくつかの実施形態では、異なる材料特性を有するストランドは、アッパーの１つ以上の領域に特定の特性を付与するように、編み合せるか、または、互いに関連付けることができる。例えば、アッパーは、着用者の足が、彼または彼女がとる各歩幅によって移動する際に、ある程度まで伸びる繊維から製造してもよく、それによって、着用者の快適性が向上する。この場合、高い引張強度の非伸縮性繊維を、追加的な構造的支持性を必要とする履物のそれらの特定の領域に挿通してもよい。別の実施例として、アッパーは、例えば、通気性または快適性を改善するために、いくつかの領域に更なる開口編組みを備えて製造してもよい。この場合、それらの領域のいくつかの部分に追加的な支持性を付与するために、または、履物の衝撃力の大きい領域に高い耐久性を付与するために、追加的な繊維を編組みに通してもよい。これらの構成のうちのいずれかを有するアッパーは、更に、アッパーの多様な領域における支持性および／または耐伸縮性を含むアッパーの特性および機能性を更に制御するために、１つ以上のオーバーレイ部分と関連付けてもよい。
【００５８】
また、アッパーは、フローティングケーブルを有してもよく、即ち、アッパーの布地に編組みされないケーブルを、アッパーのいくつかの区画に対するストレスを緩和するのに利用してもよい。フローティングケーブルは、編組み構造から分離されて、および編組み構造に取り付けられていない異なる材料で形成してもよい。また、ケーブルは、以下で説明するように、履物を足に固定するための、または、履物のいくつかの部分を締め付けるための紐として用いてもよい。例えば、ケーブルは、例えば、履物のソールに第１端部を、およびアイレットに第２端部を固定してもよい。また、そのようなフローティングケーブルは、足首開口部の周囲等の履物のいくつかの部分の支持および安定性を増大させるのに用いてもよい。いくつかの実施形態では、オーバーレイ部分は、フローティングケーブルを含む編組みされたアッパーとともに用いてもよく、いくつかのケースにおいては、オーバーレイ部分は、ケーブルのある部分またはケーブルのない部分を補強するのに用いてもよい。いくつかの実施形態では、オーバーレイ部分は、フローティングケーブルの端部をアッパーに固定するのを支援するのに用いることもできる。
【００５９】
前記の編組みアッパー出願に記載されている特徴のうちのいずれかを含む、これらの特徴の組合せは、上述され、かつ図示されているオーバーレイ部分とともに、特定の運動または娯楽活動に合わせたアッパーの製作を容易にすることができる。これらの特徴の組合せを備えた編組みされたアッパーは、着用者の足にぴったりかつ心地よく合うと同時に、非常に軽量化することができる。いくつかの実施形態では、アッパーのフィット性は、着用者が好む可能性がある、特定の程度の引張または締め付けをもたらすように調節してもよい。
【００６０】
図１４〜図１７は、編組みされたアッパーおよびオーバーレイ部分で構成された物品を形成する例示的なプロセスにおけるいくつかのステップを示す。まず、図１４に示すように、編組みされたアッパー１４０２を、任意の編組みプロセスを用いて形成することができる。編組みされた物品を形成するための例示的なプロセスは、上述し、および参照によって組込まれている編組みされたアッパー出願に記載されている。次に、図１５に示すように、いくつかの実施形態では、アッパー１４０２に開口部１５０２を切り込むことができる。これは、開口部１５０２に隣接する新たな端縁１５０４を製作することができる。開口部１５０２は、足の挿入に用いることができ、および紐等のファスナのための領域を形成することができる。
【００６１】
実施例においては、続いて、オーバーレイ部分１５１０を、図１７に示すように、アッパー１４０２の端縁１５０４（図１５参照）に沿って接合してもよい。いくつかの実施形態では、接合は、超音波溶着プロセス等の溶着プロセスを用いて実現してもよい。それにより、端縁１５０４に沿って露出されているストランドは、オーバーレイ部分１５１０に融着して端部を仕上げることができ、および物品が締め付けられたときに、端縁１５０４を補強し、支持することができる。最後に、図１７に示すように、紐１６０２をアイレット１６１０に挿通することができる。更に、いくつかの実施形態では、ソールシステム１６２０をアッパー１４０２の底部に加えることができる。
【００６２】
いくつかの実施形態は、アッパーおよびソールシステムの結合を容易にするための装備を含むことができる。いくつかの実施形態では、オーバーレイ部分を、アッパーとソールシステムとの間に設けて、それによって、アッパーとソールシステムとの結合を容易にしてもよい。
【００６３】
図１８および図１９は、オーバーレイ部分を、ソールシステムをアッパーに取り付けるのを支援するのに用いることができる実施形態の等角図である。図１８および図１９を参照すると、アッパー１７０２を、オーバーレイ部品１７２０およびオーバーレイ部品１７２２に関連付けることができる。いくつかの実施形態では、オーバーレイ部品１７２０を、アッパー１７０２の開口部１７１６に関連付けてもよい。オーバーレイ部品１７２２は、アッパー１７０２の下側１７０３に関連付けることができる。いくつかの実施形態では、オーバーレイ部品１７２２は、下側１７０３全体に亘って延在していてもよいが、他の実施形態では、オーバーレイ部品１７２２は、下側１７０３のいくつかの部分のみに亘って延在してもよい。更に、いくつかのケースにおいて、オーバーレイ部品１７２２は、アッパー１７０２の下方周辺部１７０５の周囲で上方へ部分的に延在してもよい。
【００６４】
いくつかの実施形態では、ソールシステム１７３０をアッパー１７０２に関連付けることができる。更に、いくつかの実施形態では、オーバーレイ部品１７２２は、ソールシステム１７３０のアッパー１７０２への接合または結合を容易にすることができる。例えば、図１９の拡大断面図に明確に図示されるように、オーバーレイ部品１７２２は、ソールシステム１７３０とアッパー１７０２との結合を容易にするために、ソールシステム１７３０と、アッパー１７０２の下側１７０３との間に配置することができる。
【００６５】
いくつかの実施形態では、オーバーレイ部品１７２２およびソールシステム１７３０の材料特性は、オーバーレイ部品１７２２とソールシステム１７３０とを接着剤または他のプロセスを用いて容易に接合できるように選択することができる。例えば、いくつかの実施形態では、オーバーレイ部品１７２２を熱可塑性ウレタン（ＴＰＵ）材料で形成してもよいこと、およびソールシステム１７３０は、同様の材料で、または、ＴＰＵと容易に接合する材料で形成してもよいことが意図されている。しかしながら、更に他の実施形態では、オーバーレイ部品１７２２およびソールシステム１７３０は、別々の接着剤を用いて、または用いずに結合することができる任意の他の材料で形成することができる。
【００６６】
図２０〜図２４は、履物物品２０００または単純に物品２０００の一実施形態を示す。いくつかの実施形態において、物品は、複数の編組み構造を有するアッパーを備えることができる。まず、図２０を参照すると、物品２０００は、ソールシステム２００２およびアッパー２００４を含む。ソールシステム２００２は、図１のソールシステム１１０に類似している。アッパー２００４は、第１編組み構造２００６および第２編組み構造２００８を含む。更に、参照を目的として、アッパー２００４等の物品２０００の構成要素は、前足部分１０、中足部分１２およびヒール部分１４に分割することができる。
【００６７】
図１のアッパー１０２と同様に、アッパー２００４は、任意の設計、形状、サイズおよび／または色調を有することができる。例えば、物品２０００がバスケットボールシューズである実施形態において、アッパー２００４は、足首に対して高い支持を与えるように成形されたハイトップアッパーとすることができる。物品２０００がランニングシューズである実施形態において、アッパー２００４は、ロートップアッパーとすることができる。
【００６８】
いくつかの実施形態において、第１編組み構造２００６および第２編組み構造２００８は、ヤーン、フィラメントまたは他の繊維からなる３つ以上のストランドを撚り合わせて、その構造を形成することによって、形成することができる。例えば、第１編組み構造２００６は、編み合わされて、全体的に足の形状に類似する形状を形成する複数のストランド（例えば、ストランド２０３０）から形成する。同様に、第２編組み構造２００８は、編み合わされて、全体的に足の形状に類似する形状を形成する複数のストランド（例えば、ストランド２０４０）から形成することができる。ストランド２０３０および／またはストランド２０４０は、ストランド１３０（図１参照）と同様の材料および方法から形成することができる。
【００６９】
いくつかの実施形態において、第１編組み構造２００６および第２編組み構造２００８は類似する構造を有する。例えば、第１編組み構造２００６および第２編組み構造２００８は、両者とも、特定の製織パターンを利用することができる。いくつかの実施形態において、第１編組み構造２００６および第２編組み構造２００８は、両者とも、特定の製織密度を有することができる。一実施形態において、第１編組み構造２００６および第２編組み構造２００８は、両者とも、特定の製織構造を利用して形成することができる。
【００７０】
ある実施形態において、ストランド２０３０およびストランド２０４０は、類似する構造を有する。いくつかの実施形態において、ストランド２０３０およびストランド２０４０は、共通の厚みを有する。一実施形態において、ストランド２０３０およびストランド２０４０は、共通の材料から製造される。例えば、ストランド２０３０およびストランド２０４０は、熱可塑性物質を含浸したフィラメントを含むことができる。
【００７１】
別の実施形態において、第１編組み構造２００６および第２編組み構造２００８は、異なってもよい。その違いには、例えば、製織技術、構造、製織密度、フィラメントの種類、フィラメントの処理等を含むことができる。例えば、第１編組み構造２００６は、柔らかな感触を有し、密度が低く、かつ疎水性を有するよう更に加工された柔らかいヤーンを有する製織および構造から形成することができる。実施例において、第２編組み構造２００８は、耐久性を最大限とし、密度が高く、かつ樹脂によって強化するよう更に加工した炭素繊維を有する製織および構造から形成することができる。
【００７２】
編組み構造（例えば、第１編組み構造２００６や第２編組み構造２００８等）の多様な特性は、構造内で構成されても、または変化してもよい。例えば、第１編組み構造２００６の前足部分１０は、第１編組み構造２００６のヒール部分１４において利用される製織技術よりもより丈夫な製織技術を利用することができる。同様に、第１編組み構造２００６の前足部分１０は、第１編組み構造２００６のヒール部分１４において利用される構造よりもより凸凹な構造を利用することができる。更に、第１編組み構造２００６の前足部分１０は、第１編組み構造２００６のヒール部分１４において利用される製織よりもより高密度の製織を利用することができる。更に、第１編組み構造２００６の前足部分１０は、第１編組み構造２００６のヒール部分１４において利用されるフィラメントよりもより頑丈なフィラメントを利用することができる。そのようなフィラメントは、例えば、フィラメントに樹脂を含浸することにより頑丈に製造することができる。上述した実施例は、第１編組み構造２００６に関連しているが、これらの実施例は第２編組み構造２００８にも適用することができる。
【００７３】
いくつかの実施形態において、編組み構造は、協調的な特性を有することができる。例えば、第１編組み構造２００６および第２編組み構造２００８は、両者とも、中足部分１２よりもヒール部分１４において、より高密度の製織を使用することができる。別の実施形態において、編組み構造のうちの１つは、別の編組み構造に対応しない特性において変化を有する。例えば、第１編組み構造２００６は、全体的に特定の製織技術を利用する一方、第２編組み構造２００８は、異なる特性を有するヒール部分１４および前足部分１０を含む。
【００７４】
一態様において、編組み構造は、別個に形成され（編組みされ）、続いて、組み合わせられるか、または同時に形成される。例えば、第１靴型を編組み機に挿入して、第１編組み構造２００６を製作し、かつ第２靴型を該編組み機または別の編組み機に挿入して、第２編組み構造２００８を製作する。代替的に、単一の靴型を編組み機に挿入して、第１編組み構造２００６および第２編組み構造２００８を製作してもよい。
【００７５】
多様な実施例において、第１編組み構造２００６および第２編組み構造２００８は、オーバーレイシステム２１４０によって保持される。オーバーレイシステム２１４０は、オーバーレイ部品１４０と同様に製造することができる。例えば、オーバーレイシステム２１４０は、熱可塑性物質から形成することができ、かつ締め付け部材２１２３（例えば、締め付け部材１６０）用のアイレット２１２２を含む。
【００７６】
いくつかの実施形態において、オーバーレイシステム２１４０の耐伸縮性は、１つ以上の編組み構造とは異なってもよい。例えば、いくつかの実施形態において、オーバーレイシステム２１４０は、第１編組み構造２００６および／または第２編組み構造２００８よりもより耐伸縮性を有する（例えば、ストレッチレスとする）ことができる。しかしながら、別の実施形態において、オーバーレイシステム２１４０は、第１編組み構造２００６および／または第２編組み構造２００８と同様の耐伸縮性を有することができる。
【００７７】
特定の実施形態において、オーバーレイシステムは、第１編組み構造が過度に伸びるのを防ぐための第１層を含む。例えば、図２１に示すように、オーバーレイシステム２１４０は、第１編組み構造２００６上に形成される第１層２１４４を含む。同様に、いくつかの実施形態において、オーバーレイシステムは、第２編組み構造が過度に伸びるのを防ぐための第２層を含む。例えば、図２１に示すように、オーバーレイシステム２１４０は、第２編組み構造２００８上に形成される第２層２１４２を含む。
【００７８】
異なる実施形態において、第２層は、足のヒール領域を支持するための第１オーバーレイ部分を含む。例えば、第２層２１４２は、ヒール部分１４に関連付けられる第１オーバーレイ部分２１５４を含む。一実施形態において、第１オーバーレイ部分２１５４は、物品２０００内に挿入された足を支持するために、第２編組み構造２００８のストレッチ性を制限することができる。いくつかの実施形態において、第１オーバーレイ部分は、アッパーの横側面および内側側面内に拡がっている。例えば、図示するように、第１オーバーレイ部分２１５４は、横側面１６および内側側面１８内に延在する。別の実施形態において、第１オーバーレイ部分は、横側面または内側側面のいずれかに延在する。例えば、第１オーバーレイ部分２１５４は、横側面１６内に延在し、かつ内側側面１８から分離している（図示せず）。別に実施例において、第１オーバーレイ部分２１５４は、内側側面１８内に延在し、かつ横側面１６から分離している（図示せず）。
【００７９】
いくつかの実施形態において、第２層は、足の挿入中に物品を支持するための第２オーバーレイ部分を含む。例えば、第２層２１４２は、開口部２１２０に関連付けられる第２オーバーレイ部分２１５２を含む。一実施形態において、第２オーバーレイ部分２１５２は、第２編組み構造２００８を過度に伸ばすことなく、足を物品２０００内に挿入可能とするために、第２編組み構造２００８のストレッチを制限する。
【００８０】
一実施形態において、第２層は、物品を足に締め付けることができるように、締め付け領域を支持するための第３オーバーレイ部分を含む。例えば、第２層２１４２は、締め付け領域２１２４に関連付けられる第３オーバーレイ部分２１５０を含む。図示するように、一実施形態において、第３オーバーレイ部分２１５０は、締め付け部材２１２３を受容するためのアイレット２１２２を含むことができる。更に、いくつかの実施形態において、第３オーバーレイ部分２１５０は、第２編組み構造２００８を過度にストレッチさせることなく、締め付け部材２１２３のタギングを可能とするために、第２編組み構造２００８のストレッチを制限することができる。
【００８１】
いくつかの実施形態において、オーバーレイ部分は、ほぼ連続的であり、アッパー２００４の多様な端縁を被覆している。例えば、図２１に示すように、第１オーバーレイ部分２１５４、第２オーバーレイ部分２１５２および第３オーバーレイ部分２１５０は、ほぼ連続的である。別の実施形態において、第３オーバーレイ部分２１５０は、第２オーバーレイ部分２１５２とほぼ連続的であり、また、第３オーバーレイ部分２１５０は、第１オーバーレイ部分２１５４から分離している。一実施形態において、第３オーバーレイ部分２１５０は、第１オーバーレイ部分２１５４とほぼ連続的であり、また、第３オーバーレイ部分２１５０は、第２オーバーレイ部分２１５２から分離している。いくつかの実施形態において、第２オーバーレイ部分２１５２は、第１オーバーレイ部分２１５４とほぼ連続的であり、また、第２オーバーレイ部分２１５２は、第３オーバーレイ部分２１５０から分離している。
【００８２】
上述したように、多様な実施形態において、オーバーレイシステムは、第１編組み構造が過度にストレッチするのを防ぐために第１層を含む。例えば、図２１に示すように、オーバーレイシステム２１４０は、第１編組み構造２００６上に形成される第１層２１４４を含む。いくつかの実施形態において、第１層２１４４は、第２層２１４２に類似している。例えば、第１層２１４４は、締め付け領域２１２４に関連付けられる第６オーバーレイ部分２１５６を含むことができる。別の実施例において、第１層２１４４は、開口部２１２０に関連付けられる第５オーバーレイ部分２１５８を含む。更に別の実施例において、第１層２１４４は、ヒール部分１４に関連付けられる第４オーバーレイ部分２１６０を含む。別の実施形態において、第１層２１４４および第２層２１４２は、異なる。
【００８３】
一実施形態において、オーバーレイシステムは、開口端縁に沿って延在して、第１編組み構造および／または第２編組み構造を支持する。例えば、図２１に示すように、第５オーバーレイ部分２１５８は、第１開口端縁２２９６上で延在することができる。この配置は、何らかの開口ストランドを第５オーバーレイ部分２１５８に接合することによって、第１編組み構造２００６の第１開口端縁２２９６を仕上げるのに役立つ。別の実施例において、第２オーバーレイ部分２１５２は、第２開口端縁２１９６上で延在する。上述したのと同様に、この配置は、何らかの開口ストランドを第２オーバーレイ部分２１５２に接合することによって、第２編組み構造２００８の第２開口端縁２１９６を仕上げるのに役立つ。
【００８４】
いくつかの実施形態において、オーバーレイシステムは、横の中足端縁に沿って延在して、第１編組み構造および／または第２編組み構造を支持する。例えば、図２１に示すように、第５オーバーレイ部分２１５８は、第１の横の中足端縁２２３０上で延在することができる。この配置は、任意の開口ストランドを第５オーバーレイ部分２１５８に接合することによって、第１の横の中足端縁２２３０を仕上げるのに役立つ。別の実施例において、第２オーバーレイ部分２１５２は、第２の横の中足端縁２１３０上で延在する。上述したのと同様に、この配置は、任意の開口ストランドを第２オーバーレイ部分２１５２に接合することによって、第２編組み構造２００８の第２の横の中足端縁２１３０を仕上げるのに役立つ。
【００８５】
多様な実施形態において、オーバーレイシステムは、内側中足端縁に沿って延在して、第１編組み構造および／または第２編組み構造を支持する。例えば、図２１に示すように、第５オーバーレイ部分２１５８は、第１内側中足端縁２２３２上で延在することができる。この配置は、開口ストランドを第５オーバーレイ部分２１５８に接合することによって、第１内側中足端縁２２３２を仕上げるのに役立つ。別の実施例において、第２オーバーレイ部分２１５２は、第２内側中足端縁２１３２上で延在する。上述したのと同様に、この配置は、開口ストランドを第２オーバーレイ部分２１５２に接合することによって、第２内側中足端縁２１３２を仕上げるのに役立つ。
【００８６】
いくつかの実施形態において、オーバーレイシステムは、前方締め付け端縁に沿って延在して、第１編組み構造および／または第２編組み構造を支持する。例えば、図２１に示すように、第６オーバーレイ部分２１５６は、第１前方締め付け端縁２２２９上で延在することができる。この配置は、任意の開口ストランドを第６オーバーレイ部分２１５６に接合することによって、第１前方締め付け端縁２２２９を仕上げるのに役立つ。別の実施例において、第３オーバーレイ部分２１５０は、第２前方締め付け端縁２１２９上で延在する。上述したのと同様に、この配置は、任意の開口ストランドを第３オーバーレイ部分２１５０に接合することによって、第２編組み構造２００８の第２前方締め付け端縁２１２９を仕上げるのに役立つ。
【００８７】
一実施形態において、オーバーレイシステムは、横の締め付け端縁に沿って延在して、第１編組み構造および／または第２編組み構造を支持する。例えば、図２１に示すように、第６オーバーレイ部分２１５６は、第１の横の締め付け端縁２２２６上で延在することができる。この配置は、任意の開口ストランドを第６オーバーレイ部分２１５６に接合することによって、第１の横の締め付け端縁２２２６を仕上げるのに役立つ。別の実施例において、第３オーバーレイ部分２１５０は、第２の横の締め付け端縁２１２６上で延在する。上述したのと同様に、この配置は、任意の開口ストランドを第３オーバーレイ部分２１５０に接合することによって、第２編組み構造２００８の第２の横の締め付け端縁２１２６を仕上げるのに役立つ。
【００８８】
多様な実施形態において、オーバーレイシステムは、内側の締め付け端縁に沿って延在して、第１編組み構造および／または第２編組み構造を支持する。例えば、図２１に示すように、第６オーバーレイ部分２１５６は、第１の内側の締め付け端縁２２２７上で延在することができる。この配置は、任意の開口ストランドを第６オーバーレイ部分２１５６に接合することによって、第１の内側の締め付け端縁２２２７を仕上げるのに役立つ。別の実施例において、第３オーバーレイ部分２１５０は、第２の内側の締め付け端縁２１２７上で延在する。上述したのと同様に、この配置は、任意の開口ストランドを第３オーバーレイ部分２１５０に接合することによって、第２編組み構造２００８の第２の内側の締め付け端縁２１２７を仕上げるのに役立つ。
【００８９】
いくつかの実施例において、第２編組み構造は、第１編組み構造の外側表面に重なる。例えば、図２２に示すように、第２編組み構造２００８の内側表面２０１０は、第１編組み構造２００６の外側表面２０１２にほぼ重なっている。本明細書において使用されるように、第１表面が他方の表面の少なくとも６０％を被覆するとき、表面は別の表面にほぼ重なる。いくつかのケースにおいて、内側表面２０１０および外側表面２０１２は、６０〜１００％の間（例えば、７０％、８０％、９０％、９５％または９９％）で重なることができる。更に、一実施形態において、第２編組み構造の内側表面は、第１編組み構造の外側表面と直接的に接触する。例えば、図２２に示すように、内側表面２０１０は、直接的に外側表面２０１２と接触するように配置する。いくつかの実施例において、第２編組み構造の外側表面を保持するオーバーレイシステムは、第１編組み構造の外側表面に直接的に接触する。例えば、オーバーレイシステム２１４０は、内側表面２０１０を外側表面２０１２上に直接的に接合することができる（図２４参照）。
【００９０】
図２２に示すように、第１編組み構造２００６は、ストランド２２０１を含むことができる。ストランド２２０１は、第１編組み構造２００６の複数のストランドおよび／または第２編組み構造２００８の複数のストランドを代表することができる。いくつかの実施例において、第１編組み構造２００６は、ストランド２２０１を引っ張ることにより損傷を受けるかもしれない。従って、図２３に示すように、オーバーレイシステム２１４０を使用して、ストランド２２０１が引っ張られるのを防ぐことができる。いくつかの実施形態において、第２オーバーレイ部分２１５２を使用して、ストランド２２０１が引っ張られるのを防ぐことができる。
【００９１】
更に、図２２に示すように、第２編組み構造２００８は、ストランド２２０３を含むことができる。ストランド２２０３は、第１編組み構造２００６の複数のストランドおよび／または第２編組み構造２００８の複数のストランドを代表することができる。いくつかの実施例において、第２編組み構造２００８は、ストランド２２０３を引っ張ることにより損傷を受けるかもしれない。従って、図２３に示すように、オーバーレイシステム２１４０を使用して、ストランド２２０３が引っ張られるのを防ぐことができる。いくつかの実施形態において、第５オーバーレイ部分２１５８を使用して、ストランド２２０１が引っ張られるのを防ぐことができる。
【００９２】
多様な実施形態において、オーバーレイシステム２１４０は、第１編組み構造２００６および／または第２編組み構造２００８を特定の位置に保持することができる。例えば、図２３に示すように、オーバーレイシステム２１４０は、第１編組み構造２００６のストランド２２０１と、第２編組み構造２００８のストランド２２０３とを固定位置に保持する。一実施形態において、第２オーバーレイ部分２１５２は、第２編組み構造２００８のストランド２２０３を固定位置に保持する。いくつかの実施形態において、第５オーバーレイ部分２１５８は、第１編組み構造２００６のストランド２２０１を固定位置に保持する。
【００９３】
一実施形態において、オーバーレイシステムは、第１編組み構造を第２編組み構造に対して相対位置に保持する。例えば、図２３に示すように、オーバーレイシステム２１４０は、第２編組み構造２００８に直接的に接触するように第１編組み構造２００６を保持する。多様な実施形態において、第２オーバーレイ部分２１５２は、第２編組み構造２００８を固定位置に保持し、第５オーバーレイ部分２１５８は、第１編組み構造２００６を固定位置に保持し、第２オーバーレイ部分２１５２および第５オーバーレイ部分２１５８を接合して、第１編組み構造２００６を第２編組み構造２００８に対して相対位置に保持する。
【００９４】
いくつかの実施形態において、オーバーレイ部分は、第２編組み構造のストランドとともに、第１編組み構造のストランドを固定位置に保持する。例えば、図２３に示すように、オーバーレイシステム２１４０は、第２編組み構造２００８の第２ストランド２３０４に直接的に接触するように第１編組み構造２００６の第１ストランド２３０２を保持する。多様な実施形態において、第２オーバーレイ部分２１５２は、第２ストランド２３０４を固定位置に保持し、第５オーバーレイ部分２１５８は、第１ストランド２３０２を固定位置に保持し、第２オーバーレイ部分２１５２および第５オーバーレイ部分２１５８を接合して、第１ストランド２３０２を第２ストランド２３０４に対して相対位置に保持する。
【００９５】
いくつかの実施例において、オーバーレイシステム２１４０は、第１編組み構造２００６および第２編組み構造２００８の分離を防ぐように構成する。例えば、図２４に示すように、第２編組み構造２００８には内側力２４０２が加わる。更に、実施例において、横力２４０４が第１編組み構造に加わってもよい。そのようにして、第１編組み構造２００６および第２編組み構造２００８は、中央部分２４０６において分離される。更に、図２４に示すように、オーバーレイシステム２１４０は、第１編組み構造２００６および第２編組み構造２００８がオーバーレイ部分２４０８において分離するのを防ぐ。上述したように、いくつかの実施形態においては、第２オーバーレイ部分２１５２および第５オーバーレイ部分２１５８を接合して、第１編組み構造２００６および第２編組み構造２００８の分離を防ぐ。
【００９６】
いくつかの実施形態において、緩衝機能を付与するために、中間層を設けることが望ましい。例えば、図２５〜図３４は、中間層を含む実施形態を示す。図２５に示すように、履物物品２６００または単純に物品２６００は、物品２６００が更に中間層２６０１を含むことを除いて、物品２０００にほぼ類似している。
【００９７】
一実施形態において、中間層は、物品２６００の多様な位置に配置される任意の数量の部材を含むことができる。例えば、図２５に示すように、中間層２６０１は、第１部材として、足首パッド２６０２と、第２部材として、ヒールパッド２６０４と含むことができる。別の実施形態において、中間層２６０１は、１つの部材または２つより多くの部材を含むことができる（図２６参照）。更に、いくつかの実施形態において、中間層２６０１は、部材を靴の別の部分、例えば中足部分１２および前足部分１０に含む（図示せず）。
【００９８】
いくつかの実施形態において、横側面１６は、内側側面１８の第１部材に対応する第３部材を含むことができる。例えば、中間層２６０１は、足首パッド２７０２（図２６〜図２７参照）を含むことができる。いくつかの実施例において、足首パッド２６０２は、足首パッド２７０２にほぼ類似する１つ以上の特徴を有する。別の実施例において、足首パッド２６０２および足首パッド２７０２は異なる。
【００９９】
一実施形態において、横側面１６は、内側側面１８の第２部材に対応する第４部材を含むことができる。例えば、中間層２６０１は、ヒールパッド２６０４を含むことができる（図２６、図２７参照）。いくつかの実施例において、ヒールパッド２６０４は、ヒールパッド２７０４にほぼ類似する１つ以上の特徴を有する。別の実施例において、ヒールパッド２６０４およびヒールパッド２７０４は異なる。
【０１００】
いくつかの実施例において、ユーザの足に緩衝作用をもたらすことが望ましい。そのような実施例において、中間層は、ユーザの足に緩衝作用をもたらすように配置してもよい。例えば、図２７に示すように、足首パッド２７０２は、足首部分１５に配置する。更に、図示するように、ヒールパッド２７０４は、ヒール部分１４に配置する。
【０１０１】
一実施形態において、中間層は、発泡体から形成する。例えば、足首パッド２６０２、ヒールパッド２６０４、足首パッド２７０２および／またはヒールパッド２７０４は、エチレン酢酸ビニル（ＥＶＡ）から形成することができる。別の実施例において、中間層は、ポリマーから形成する。例えば、足首パッド２６０２、ヒールパッド２６０４、足首パッド２７０２およびヒールパッド２７０４は、熱可塑性物質から形成することができる。
【０１０２】
いくつかの実施形態において、オーバーレイシステムは、中間層２６０１の１つ以上の部材をほぼ包囲する。例えば、図２７に示すように、オーバーレイシステム２１４０は、足首パッド２７０２をほぼ包囲している。本明細書において使用されるように、ほぼ包囲するとは、６０％超の包囲を含む。
【０１０３】
多様な実施形態において、第１編組み構造２００６および第２編組み構造は、中間層によって分離される。例えば、図２８に示すように、足首パッド２７０２は、第１編組み構造２００６と第２編組み構造２００８との間に配置する。別の実施例において、ヒールパッド２７０４は、第１編組み構造２００６と第２編組み構造２００８との間に配置する。
【０１０４】
いくつかの実施形態において、中間層２６０１の１つ以上の部材は、第１編組み構造に直接的に接触してもよい。例えば、図２８に示すように、足首パッド２７０２は、第１編組み構造２００６に直接的に接触する。別の実施例において、ヒールパッド２７０４は、第１編組み構造２００６に直接的に接触する。同様に、いくつかの実施形態において、中間層２６０１の１つ以上の部材は、第２編組み構造に直接的に接触してよい。例えば、図２８に示すように、足首パッド２７０２は、第２編組み構造２００８に直接的に接触する。別の実施例において、ヒールパッド２７０４は、第２編組み構造２００８に直接的に接触する。
【０１０５】
一実施形態において、中間層における１つ以上の部材は、オーバーレイシステムによって固定位置に保持される。例えば、図２８に示すように、足首パッド２７０２は、第１オーバーレイ部分２１５４と第２オーバーレイ部分２１５２との間に保持される。別の実施例において、足首パッド２７０２は、第４オーバーレイ部分２１６０と第５オーバーレイ部分２１５８との間に保持される。いくつかの実施形態において、ヒールパッドは、オーバーレイシステムおよびソールシステムによって固定位置に保持される。例えば、図示するように、ヒールパッド２７０４は、第１オーバーレイ部分２１５４によって固定位置に保持してもよい。別の実施例において、ヒールパッド２７０４は、第４オーバーレイ部分２１６０によって固定位置に保持してもよい。
【０１０６】
いくつかの実施形態において、中間層の１つ以上の部材は、オーバーレイシステム２１４０によって固定位置に柔軟に保持される。一実施形態において、中間層は、中間層の１つ以上の部材をオーバーレイシステム２１４０から分離することによって柔軟に保持される。例えば、図２７，図２８に示すように、足首パッド２７０２は、第２オーバーレイ部分２１５２から分離される。別の実施例において、足首パッド２７０２は、第１オーバーレイ部分２１５４から分離される。更に別の実施例において、足首パッド２７０２は、第５オーバーレイ部分２１５８から分離される。一実施例において、足首パッド２７０２は、第４オーバーレイ部分２１６０から分離される。同様に、ヒールパッド２７０４は、第１オーバーレイ部分２１５４、第２オーバーレイ部分２１５２、第３オーバーレイ部分２１５０、第４オーバーレイ部分２１６０、第５オーバーレイ部分２１５８および第６オーバーレイ部分２１５６のうちの１つ以上から分離してもよい。
【０１０７】
別の実施形態において、中間層の１つ以上の部材は、オーバーレイシステムによって固定位置に強固に保持してもよい。例えば、図２９に示すように、足首パッド２６０２は、オーバーレイシステム２１４０に強固に取り付けられている。別の実施例において、ヒールパッド２６０４は、オーバーレイシステム２１４０に強固に取り付けられる。
【０１０８】
多様な実施形態において、中間層２６０１の１つ以上の部材は、オーバーレイシステム２１４０に直接的に接触してもよい。例えば、図３０に示すように、足首パッド２６０２は、第２オーバーレイ部分２１５２および／または第５オーバーレイ部分２１５８に直接的に接触している。別の実施例において、ヒールパッド２６０４は、第２オーバーレイ部分２１５２および／または第５オーバーレイ部分２１５８に直接的に接触する。
【０１０９】
本明細書に開示され、かつ、図２０〜図３０に示す実施形態は、例えば、アッパーの材料特性を選択的に修正する手段を提供する。具体的には、オーバーレイ部分は、アッパーの選択的な位置に適用して（その他の位置には適用しないで）、選択的な位置における耐伸縮性、強度、剛性および／または他の材料特性を強化することができる。例えば、図２０〜図２４に示す実施形態において、オーバーレイシステム２１４０は、第１編組み構造２００６および第２編組み構造２００８の端縁上に選択的に配置されるが、これらの端縁の内部（例えば、つま先部分、横側面および内側側面の一部並びにアッパー２００４の下側の一部）のいくつかの部分には配置されないオーバーレイ部分を含む。オーバーレイ部分におけるこの選択的な配置は、端縁における耐伸縮性および強度を向上させることができるが、オーバーレイ部分によって被覆されていない部分における改善された柔軟性、比較的低い剛性および通気性を保持することができる。
【０１１０】
図３１および図３２は、アッパー２００４のいくつかの領域（その他を除く）における、オーバーレイ部分の選択的な配置による、アッパー２００４の改善された機能を示す。図３１の拡大断面図において見られるように、足首パッド２６０２は、第１編組み構造２００６と第２編組み構造２００８との間に保持される。更に、足首パッド２６０２がアッパー２００４の足首領域の外側に移動しないようにするために、第２オーバーレイ部分２１５２および第５オーバーレイ部分２１５８を第１編組み構造２００６および第２編組み構造２００８に（相互に）接合して、足首パッド２６０２を予め決定したアッパー２００４の領域に保持するのに役立てる。特に、足首パッド２６０２が、第２オーバーレイ部分２１５２および第５オーバーレイ部分２１５８によって画定される境界線の外側に移動できないように、第２オーバーレイ部分２１５２および第５オーバーレイ部分２１５８は、足首パッド２６０２の周囲に第１編組み構造２００６および第２編組み構造２００８を取り付ける。
【０１１１】
いくつかの実施形態において、アッパー２００４は、衝撃力を中間層２６０１上に分散することによって、衝撃吸収性を改善することができる。例えば、図３１は、足首２７０６を保護するために配置される足首パッド２６０２を示す。更に、図示するように、第１編組み構造２００６および第２編組み構造２００８は足首パッド２６０２を支持する。図３２に示すように、実施例において、第２編組み構造に接触する力２７０８は、第２編組み構造２００８を変形して、力２７０８を分散する。そのような変形は、中間層２６０１（例えば、足首パッド２６０２）が、衝撃力２７０８を中間層２６０１に分散することによって衝撃を吸収するのに役立つ。
【０１１２】
第２編組み構造２００８は、剛性が低く、比較的柔軟であるため、容易に変形することができる。これは、柔軟性を制限するように特別に設計され、かつこれらの領域の剛性を全体的に高めることにより、第１編組み構造２００６および第２編組み構造２００８の間の接続を強化するオーバーレイ部分を含むアッパー２００４の領域とは対照的である。従って、オーバーレイ部分を使用するアッパーの異なる領域の特性の選択的な修正は、アッパーのいくつかの領域における所望の柔軟性および低い剛性を維持しつつ、アッパーのその他の領域における強度を高め、かつ耐伸縮性を小さくするのに役立つことを理解されよう。
【０１１３】
中間緩衝層２７６０および剛性層２７１０を含むアッパーの一部の代替的な実施形態を、図３３および図３４に示す。この代替的な実施形態において、剛性層２７１０は、図３１，図３２に示す実施形態によって提供される選択的な材料特性とは対照的に、全体的に、均一な剛性、耐伸縮性および／または強度を有する。図３４に示すように、剛性アッパー２７１０に加わる力２７０８は、中間緩衝層２７６０に部分的に伝達してもよい。しかしながら、剛性アッパー２７１０の相対的柔軟性のおかげで、一部の力２７０８も、中間緩衝層２７６０の周囲にある剛性アッパー２７１０の領域２７１１に沿って伝達される。この結果、中間緩衝層２７６０によって、力２７０８の一部のみが吸収されるため、緩衝効果が低くなるとともに、残りの力２７０８は、剛性アッパー２７１０の他の場所に伝達される。
【０１１４】
多様な実施形態を記載したが、これらの記載は例示的なものであり、限定することを意図するものではない。また、本発明の範囲内において、より多くの実施形態および実装形態が可能であることは、当業者には明白である。従って、本発明は、添付の特許請求の範囲およびそれらの同等物の観点以外により制限されるものではない。また、添付の特許請求の範囲内において、多様な修正および変更を加えることができる。
【先行技術文献】
【特許文献】
【０１１５】
【特許文献１】米国特許第７２５２０２８号明細書
【特許文献２】米国特許第８２６１６４８号明細書
【特許文献３】米国特許第５３６１６７４号明細書
【特許文献４】米国特許第５３９８５８６号明細書
【特許文献５】米国特許第４２７５６３８号明細書
【図１】
0006527230.tif 000002
【図２】
0006527230.tif 000003
【図３】
0006527230.tif 000004
【図４】
0006527230.tif 000005
【図５】
0006527230.tif 000006
【図６】
0006527230.tif 000007
【図７】
0006527230.tif 000008
【図８】
0006527230.tif 000009
【図９】
0006527230.tif 000010
【図１０】
0006527230.tif 000011
【図１１】
0006527230.tif 000012
【図１２】
0006527230.tif 000013
【図１３】
0006527230.tif 000014
【図１４】
0006527230.tif 000015
【図１５】
0006527230.tif 000016
【図１６】
0006527230.tif 000017
【図１７】
0006527230.tif 000018
【図１８】
0006527230.tif 000019
【図１９】
0006527230.tif 000020
【図２０】
0006527230.tif 000021
【図２１】
0006527230.tif 000022
【図２２】
0006527230.tif 000023
【図２３】
0006527230.tif 000024
【図２４】
0006527230.tif 000025
【図２５】
0006527230.tif 000026
【図２６】
0006527230.tif 000027
【図２７】
0006527230.tif 000028
【図２８】
0006527230.tif 000029
【図２９】
0006527230.tif 000030
【図３０】
0006527230.tif 000031
【図３１】
0006527230.tif 000032
【図３２】
0006527230.tif 000033
【図３３】
0006527230.tif 000034
【図３４】
0006527230.tif 000035